(57)【要約】【課題】これまでの傘脱水機は、環状の送風ノズルによって差し込まれた傘に空気を吹き付けているので、傘に付着した水分を除去するには、ゆっくり差し込んだり何回も挿し込んだりしなければならず、脱水処理に時間がかかるという問題点があった。【解決手段】箱体と、送風機と、箱体内に設けられ、閉じられた状態の傘を収納する空間と、箱体内に設けられ、傘が収納された場合の傘の親骨と親骨の間の生地の折り目を捲る傘生地捲り手段と、箱体内に設けられ、送風機から送風される空気を傘に向けて噴出する空気流噴出手段とを有する。【選択図】　　　　　図２
2004144425.tif 000002
【特許請求の範囲】
【請求項１】
箱体と、
送風機と、
前記箱体内に設けられ、閉じられた状態の傘を収納する空間と、
前記箱体内に設けられ、傘が収納された場合の前記傘の親骨と親骨の間の生地の折り目を捲る傘生地捲り手段と、
前記箱体内に設けられ、前記送風機から送風される空気を前記傘に向けて噴出する空気流噴出手段とを有することを特徴とする傘脱水機。
【請求項２】
送風機は、箱体下部に設けられていることを特徴とする請求項１記載の傘脱水機。
【請求項３】
空気流噴出手段は、傘が収納された場合の前記傘のシャフトに沿って複数設けられていることを特徴とする請求項１乃至請求項２いずれか記載の傘脱水機。
【請求項４】
傘生地捲り手段は、傘が収納された場合の前記傘のシャフトから５０ｍｍ〜８５ｍｍ離れた位置となるように設けられていることを特徴とする請求項１乃至請求項３いずれか記載の傘脱水機。
【請求項５】
空気流噴出手段は、傘が収納された場合の前記傘のシャフトから５０ｍｍ〜８５ｍｍ離れた位置となるように設けられていることを特徴とする請求項１乃至請求項４いずれか記載の傘脱水機。
【請求項６】
箱体内の上部に設けられた空気流噴出手段は、傘が収納された場合の前記傘のシャフトから７０ｍｍから８５ｍｍ離れた位置となるように設けられ、下部に設けられた空気流噴出手段は、前記傘のシャフトから５０ｍｍ〜６５ｍｍ離れた位置となるように設けられていることを特徴とする請求項５記載の傘脱水機。
【請求項７】
箱体内の下部から上部に向かって空気流噴出手段からの空気の吹きつけ量が多くなることを特徴とする請求項１乃至請求項６記載の傘脱水機。
【請求項８】
空気流の吹きつけ方向が向かい合う空気流噴出手段は、吹きつける方向が同一直線上からずれていることを特徴とする請求項１乃至請求項７いずれか記載の傘脱水機。
【請求項９】
箱体は、第１のセンサと、前記第１のセンサよりも下方に設けられた第２のセンサとを有し、前記第１のセンサと前記第２のセンサの両方が前記箱体内部に挿入された物体を検知すると送風機が起動することを特徴とする請求項１乃至請求項８いずれか記載の傘脱水機。
【請求項１０】
箱体内部には、第１のセンサと、前記第１のセンサよりも下方に設けられた第２のセンサとが設けられ、前記第１のセンサと前記第２のセンサの両方が前記箱体内部に挿入された物体を検知しなくなると送風機が停止することを特徴とする請求項１乃至請求項９いずれか記載の傘脱水機。
【請求項１１】
箱体は、少なくとも一部が内部を見ることができるように構成されていることを特徴とする請求項１乃至請求項１０いずれか記載の傘脱水機。
【請求項１２】
箱体と、
送風機と、
前記箱体内に設けられ、閉じられた状態の傘を収納する空間と、
前記箱体内に前記送風機と連結されて設けられ、前記傘を収納した場合の前記傘のシャフトに沿って前記送風機から送風される空気を前記傘に向けて噴出するための複数の孔が設けられたパイプとを有することを特徴とする傘脱水機。
【請求項１３】
箱体と、
送風機と、
前記箱体内に設けられ、閉じられた状態の傘を収納する空間と、
前記箱体内に設けられ、傘が収納された場合の前記傘の親骨と前記親骨の隣の間の生地の折り目を捲り、前記送風機から送風される空気を前記傘に向けて噴出するための複数の孔が設けられたパイプとを有することを特徴とする傘脱水機。
【請求項１４】
送風機は、箱体下部に設けられていることを特徴とする請求項１２乃至請求項１３いずれか記載の傘脱水機。
【請求項１５】
パイプには、傘が収納された場合の前記傘のシャフトに沿って複数の孔が設けられていることを特徴とする請求項１２乃至請求項１４いずれか記載の傘脱水機。
【請求項１６】
パイプは、傘が収納された場合の前記傘のシャフトから５０ｍｍ〜８５ｍｍ離れた位置となるように設けられていることを特徴とする請求項１２乃至請求項１５いずれか記載の傘脱水機。
【請求項１７】
パイプの上部は、傘が収納された場合の前記傘のシャフトから７０ｍｍ〜８５ｍｍ離れた位置となるように設けられ、前記パイプの下部は、前記傘のシャフトから５０ｍｍから６５ｍｍ離れた位置となるように設けられていることを特徴とする請求項１６記載の傘脱水機。
【請求項１８】
パイプの上部に設けられた孔のピッチは、前記パイプの下部に設けられた孔のピッチよりも狭いことを特徴とする請求項１２乃至請求項１７記載の傘脱水機。
【請求項１９】
孔から噴出される空気流の吹きつけ方向が向かい合うパイプは、吹きつける方向が同一直線上からずれていることを特徴とする請求項１２乃至請求項１８いずれか記載の傘脱水機。
【請求項２０】
箱体内部には、第１のセンサと、前記第１のセンサよりも下方に設けられた第２のセンサとが設けられ、前記第１のセンサと前記第２のセンサの両方が前記箱体内部に挿入された物体を検知すると送風機が起動することを特徴とする請求項１２乃至請求項１９いずれか記載の傘脱水機。
【請求項２１】
箱体内部には、第１のセンサと、前記第１のセンサよりも下方に設けられた第２のセンサとが設けられ、前記第１のセンサと前記第２のセンサの両方が前記箱体内部に挿入された物体を検知しなくなると送風機が停止することを特徴とする請求項１２乃至請求項２０いずれか記載の傘脱水機。
【請求項２２】
箱体は、少なくとも一部が内部を見ることができるように構成されていることを特徴とする請求項１２乃至請求項２１いずれか記載の傘脱水機。
【発明の詳細な説明】
【０００１】
【発明の属する技術分野】
この発明は、傘に付着した水分を脱水する傘脱水機に関するものである。
【０００２】
【従来の技術】
従来の傘脱水機は、本体ケースに設けられた傘差込口の口縁と奥側とに環状の送風ノズルが設けられ、傘の差込み方向に向かって斜めに送風ノズルから放射状の空気流が吹出されるようになっており、濡れた傘を折畳んだ状態で傘差込口から差込むと、口元の送風ノズルから吹出される空気流が傘に当り跳ね返り、吹出し気流と衝突して乱流を生じ、傘の襞部分を揺さぶり傘布に付着した水分を揺さぶりながら空気流によって払拭していき、傘の差込み深さが増すに連れ奥側の送風ノズルにより同様の作用を受け傘布の水分を除去するものである。
【０００３】
【特許文献１】
特開２０００―１１１２５０号公報（第３−４頁、第１図）
【０００４】
【発明が解決しようとする課題】
このような傘脱水機は、環状の送風ノズルによって差し込まれた傘に空気を吹き付けているので、傘に付着した水分を除去するには、ゆっくり差し込んだり何回も挿し込んだりしなければならず、脱水処理に時間がかかるという問題点があった。
【０００５】
この発明は、かかる従来の問題点を解決するためになされたものであり、短時間で傘に付着した水分を除去することができる脱水機を提供することを目的とする。
【０００６】
【課題を解決するための手段】
箱体と、送風機と、箱体内に設けられ、閉じられた状態の傘を収納する空間と、箱体内に設けられ、傘が収納された場合の傘の親骨と親骨の間の生地の折り目を捲る傘生地捲り手段と、箱体内に設けられ、送風機から送風される空気を傘に向けて噴出する空気流噴出手段とを有する。
【０００７】
【発明の実施の形態】
実施の形態１．
図１は、この発明の実施の形態１における傘脱水機の斜視図、図２は、この発明の実施の形態１における傘脱水機のＡ−Ａ線での縦断面図である。図１において、箱体である傘脱水機１は、外観上大きく分けて、傘２を挿入するための約φ１００ｍｍから約φ１２０ｍｍの直径の開口部３が設けられた天面４を備えていてこの開口部３から挿入された傘２に風を吹き付けて表面に付着する水分を除去する空気流噴出手段を備える空気流噴出手段収納部５と、空気流噴出手段収納部５の下方に設けられていて取り込んだ空気を空気流噴出手段収納部５の空気流噴出手段に送るための送風手段を備える送風手段収納部６とを有している。これら空気流噴出手段収納部５の外殻と送風手段収納部６の外殻との連結はネジにより行われる（図２参照）。なお、開口部３の内側の面は、撥水処理加工が施されている。
【０００８】
次に、この発明における傘脱水機１の内部構造について、図２の傘脱水機の縦断面図をもとに詳述する。図中、送風手段収納部６内に設けられた送風手段である送風機７が作動することで、最も外側の送風手段収納部の外殻８の内側に外部からの水の侵入を防いで空気を取り入れるために下方に向けて開口するように設けられた取入口９から取り入れられた空気が、この取入口９の上方に設けられた吸込口１０から上部に吸音構造体１１が設けられた吸込気室１２を通って、吸込気室１２の下部の隔壁１３に設けられたファン吸込口１４から送風機７に吸込まれる。
【０００９】
この送風機７は、空気の吸込口は吸込気室１２と連通するが、これを除く本体は排気室１５内に収納され、本体の上部に設けられたパッキン材１６と下部に設けられたゴムブッシュ１７とにより隔壁１３及び送風手段収納部の底面１８に防振状態で固定されている。なお、この発明の実施の形態１の傘脱水機１では送風機７を４台使用している。
【００１０】
そして、送風機７に吸込まれ排気室１５内に吹き出された空気は、排気室１５内の静圧を上昇させ、一部は排気室１５の内側面１９に設けられた孔２０より排気空間部２１に高い運動エネルギを有する高速の空気流として噴出され、その他の空気の大部分は、排気室１５の上部に設けられた吹出口２２と下方の一端とが接続された送気パイプ２３へ送風される。
【００１１】
この送気パイプ２３は、表面を撥水処理加工された直径φ３０ｍｍ、厚み０．５ｍｍのステンレス製であり、開口部３の近傍まで伸びる吹出口２２と反対側の上方の他端が塞がれており、送気パイプ２３を流れる空気は、送気パイプ２３の下方の一端と上方の他端との間に設けられた複数の孔２４より脱水処理空間部２５に高い運動エネルギを有する高速の空気流として噴出される。なお、これら孔２４は４本の送気パイプ２３を頂点とした四角形のおおよそ中心方向に向かって空気を噴出するようにレーザを使った後加工で設けられており、おおよそ傘２のシャフト２６に沿って生地に空気流を当てることができるようになっている。
【００１２】
また、送気パイプ２３は、送風機１の台数に合わせて４本用いられており、これら４本の送気パイプ２３を互いに平行になるように設置してもよいが、排気室１５の吹出口２２と接続された送気パイプ２３の一端同士の間隔を約７０ｍｍから９０ｍｍ（対角線で考えると約１００ｍｍから１３０ｍｍ）とし、開口部３近傍の送気パイプ２３の他端同士の間隔を約１００ｍｍから１２０ｍｍ（対角線で考えると約１４０ｍｍから１７０ｍｍ）とすると、傘２の石突２７の根元から親骨２８を通って露先２９までとシャフト２６との傾きや、折り畳まれた生地の折り目３０とシャフト２６との傾きと同じような角度となり、さらに脱水効率が向上する。
【００１３】
さらに、送気パイプ２３の下方の一端から上方の他端の間に設けられた複数の孔２４は、下方ほど穴間のピッチが広く、上方になるほどピッチが狭くなっている。また、４本の送気パイプ２３のうち相対する２本の送気パイプ２３に設けられた孔２４は、高さが１／２ずつずれている。
【００１４】
次に、実際に傘２を挿入して脱水する動作に基づいて、この傘脱水機１の各部の働きを説明する。図２に示すように傘脱水機１の上部の開口部３から手元３１を持って閉じた傘２を挿入していくと、開口部３の直下に設けられたスカート部３２を通って挿入された物体の存在を傘脱水機１内の上部に設けられた第１のセンサ３３が検知し、さらに挿入していくと下部に設けられた第２のセンサ３４が検知する。これらのセンサの両方が物体を検知した場合に４台の送風機７それぞれに給電され、送風機７が運転し、送風され、傘２の脱水が開始される。
【００１５】
ところで、傘２を抜くときに、相対する２本の送気パイプ２３に設けられた孔２４から噴出される高速の空気流が衝突すると、開口部３から傘脱水機１の外に向かって気流が発生する。この気流が傘２から吹き飛ばした水滴まで運ぶので、傘脱水機１の使用者や周囲が水浸しになるおそれがある。そのため、前述したように、４本の送気パイプ２３のうち相対する２本の送気パイプ２３に設けられた孔２４のピッチを１／２ずらすことで、相対する送気パイプ２３の孔２４から噴出される高速の空気流を上下方向に互い違いになるようにして、傘脱水機１外部へ向かう気流の発生を抑制している。
【００１６】
図３は、この発明の実施の形態１における傘脱水機のＢ−Ｂ線での横断面図である。孔２４はピッチをずらすことで、高さ方向にだけずらされているので、相対する２本の送気パイプ２３からの空気流は上部から見ると同一直線上に見えるが、側方から見ると上下方向に互い違いになっている。
【００１７】
このような方法に加えて、相対する２本の送気パイプ２３に設けられた孔２４から噴出される高速の空気流の衝突を防ぐ手段としては、水平方向の高速空気流の噴出方向を変更することも考えられる。
【００１８】
図４は、この発明の実施の形態１における他の構成の傘脱水機のＢ−Ｂ線での横断面図である。図中、相対する２本の送気パイプ２３の中心を結んだ線と孔２４ａから噴出される高速空気流の成す角θは５〜２０度になっている。この場合、４本の送気パイプ２３に設けられた孔２４から噴出される空気流の傾く方向が、それぞれの孔２４から見て左前方になっていて、いずれも相対する２本の送気パイプ２３の中心を結んだ線と孔２４から噴出される高速空気流の成す角θが５〜２０度になっている。このようにすることで、水平面上で相対する２本の送気パイプ２３に設けられた孔２４から噴出される高速の空気流が衝突するのを防止できる。
【００１９】
また、このように４本の送気パイプ２３に設けられた孔２４から噴出される空気流の傾く方向が、全ての送気パイプ２３について、それぞれの孔２４から見て左前方になっていると、高速気流を吹きつけることで傘２が一定方向に回転してしまうことがある。図５は、この発明の実施の形態１におけるさらに他の構成の傘脱水機のＢ−Ｂ線での横断面図であるが、このように傘２に対して一方向にだけ空気流が吹き付けられないように、４本の送気パイプ２３の孔２４から噴出される空気流のうち一部だけ傾く方向をその他のものとは反対向きとなるように孔２４ｂからの空気流の噴出方向を送気パイプ２３ａの中心から見て右前方となるようにした。
【００２０】
これら図３〜図５で示した傘脱水機１では、内部に収納された傘２の隣り合った２本の親骨２８の間の生地の折り目（襞）２９が、親骨２８よりも外側になり、折り目３０が送気パイプ２３間に挟まれた状態になる。従って、例えば図５の構成を例にとると、送風が開始され、傘２の手元３１を持ち、４本の送気パイプ２３のうちの１本を送気パイプ２３ｂとし、連続する折り目を順に折り目３０ａ、３０ｂ、３０ｃとし、これらの折り目の隣の親骨を親骨２８ａ、２８ｂ、２８ｃ、２８ｄとした場合、傘２を図に向かって右方向に回すことで送気パイプ２３ｂに折り目３０ａから折り目３０ｂ、折り目３０ｃまでが次々と接触し捲られる。これにより、折り目３０ａと親骨２８ａ間の生地、折り目３０ｂと親骨２８ｂ間の生地、折り目３０ｃと親骨２８ｃ間の生地、に次々に送気パイプ２３ｂの孔２４からの空気流が当たることになり脱水される。
【００２１】
続いて、傘２を図に向かって左方向に回すことで送気パイプ２３ｂに折り目３０ｃから折り目３０ｂ、折り目３０ａまでが次々と接触し捲られる。これにより、折り目３０ｃと親骨２８ｄ間の生地、折り目３０ｂと親骨２８ｃ間の生地、折り目３０ａと親骨２８ｂ間の生地、に次々に送気パイプ２３ｂの孔２４からの空気流が当たることになる。このような作用が４本の送気パイプ２３全てで起こるので、傘２全体が脱水される。なお、図では空気流の傾きを極端に表現しているので、一方の生地にしか吹き付けられないように見えるが、実際は前述したように５〜２０度程度であり、さらに孔２４から噴出した後の空気流は広がるので傘２を回す方向を変えるだけで生地の全ての面に空気流が吹き付けられる。
【００２２】
このような傘２の生地の部分の脱水に加えて、図２を用いて説明したように、送風機７からの空気の一部は排気室１５の内側面１９に設けられた孔２０より排気空間部２１に高い運動エネルギを有する高速の空気流として噴出される。傘２を傘脱水機１に充分挿入した場合に、この排気空間部２１に石突２７が達すことになり、排気室１５の内側面１９に設けられた孔２０からの高速の空気流によって、石突２７近傍の水分が脱水されることになる。
【００２３】
図６は、この発明の実施の形態１における排気室の部分のＣ−Ｃ線での横断面図である。４個の排気室１５は、卍形状に配置され、その中央部の空間が内側面１９に囲まれて排気空間部２１を形成している。この排気空間部２１は前述した送気パイプ２３間の距離に合わせて、一片が約７０ｍｍから９０ｍｍ程度となっている。
【００２４】
このようにして傘２の脱水が行われるわけであるが、４台もの送風機７を動かすため、運転時に送風機７から騒音が発生する。そのため、前述したように送風手段を装置の下部に設けることで使用者から騒音の発生する送風手段を遠ざけるとともに、図２において吸込気室１２の上面に吸音構造体１１が設けられている。特に、この吸音構造体１１は吸込気室１２の上面の中でも排気室１５と連通するファン吸込口１４に対向する位置に設けられていることが望ましい。
【００２５】
そして、脱水を終えると図２における開口部３の下方に設けられたスカート部３２の形状に基づく働きにより、露先２９等が引っかからず滑らかに傘２を抜くことができる。このスカート部３２は、筒状で上部の筒口が開口部３とほぼ同じくらいの直径であり、下部の筒口がこれより広い漏斗に似た形状である。なお、このスカート部３２の開口部３との接続部分は、できるだけ短くなるように設計されており、傘２を抜くことにより、この部分が濡れたとしてもスカート部３２に沿って噴出される空気によって、できるだけ早く乾燥するようになっている。
【００２６】
このようにして傘２が引抜かれていくと図２における第２のセンサ３４が物体の存在を検知しなくなり、さらに引抜かれていくと第１のセンサ３３も物体の存在を検知しなくなり、これらのセンサの両方が傘２を検知しなくなった状態で送風機７の運転が停止される。あるいは、一定時間以上、送風機７の運転が継続した場合に安全のため停止される。
【００２７】
以上のように傘２のシャフト２６に沿って孔２４を設けた送気パイプ２３を設置しているので、傘２の脱水したい部分の全面に空気流を吹き付けることができ、高い脱水性能が得られる。
【００２８】
また、この発明の実施の形態では、傘２へ吹き付ける空気の通風路にパイプ（送気パイプ２３）を用いているので、傘２の折り目と折り目の間に空気流の噴出する孔２４を有する送気パイプ２３を設置することでき、傘２の生地全体に空気流を当てることができるため、脱水能力が高い。
【００２９】
さらに、傘２へ吹き付ける空気の通風路にパイプ（送気パイプ２３）を用いているので、空気流を噴出する送気パイプ２３と空気流噴出手段収納部５の外殻との間に充分な空間を得ることができる。この空間の存在のおかげで、傘２から吹き飛ばされた水分が空気流噴出手段収納部５の外殻で跳ね返って傘２に再付着するのを防ぐことができるとともに、パイプであるので安価に製造することができる。
【００３０】
ただし、必ずしもパイプでなければ脱水処理できないというものではない。この発明の実施の形態１におけるさらに異なる構成の傘脱水機のＢ−Ｂ線での横断面図である。この図の傘脱水機１は、空気流噴出手段収納部の外殻８から内部に向けて突出した凸部３５の内部に送風機７からの空気が流れる通風路３６を設け、この通風路３６内の空気を凸部３５の外部へ噴出するための吹出通路３７を有している。このような構成としても、図５における傘脱水機１内に挿入した傘２の中心（シャフト２６部分がこれに相当する）から送気パイプまでの距離ｌと、傘２の中心から折り目までの距離ｍとの関係のように、傘２の中心から凸部３５までの距離ｎがｍよりも小さければ、この発明の実施の形態１と同じように、傘２の生地全面に空気流を当てることができる。
【００３１】
さらにいえば、この発明の実施の形態１の傘脱水機１の機能のうち、空気流を傘に吹き付ける機能と、傘２の折り目３０の内側に入りこんで生地を捲り折り目と折り目の間に空気流を送り込みやすくする機能とについて分けて考えれば、送気パイプ２３を露出した構成のものや凸部３５内に通風路３６を備えた構成のように、空気流を噴出する孔２４や吹出通路３７と、傘２の折り目３０の内側に入りこんで折り目と折り目の間に空気流を送り込みやすくするためのパイプや凸部とを一体化しなくても、これらの機能は達成できる。すなわち、傘２の生地と接触して折り目を捲きつかせることで空気流を親骨２８と折り目３０との間の生地に誘導する働きだけをさせる機能を有する傘生地捲り手段（例えば、パイプのような棒状のもの）を、傘２の中心から折り目までの距離ｍよりも傘２の中心からこの傘生地捲り手段までの距離が短くなるように設置し、それとは別に傘生地捲り手段の近傍に空気流を噴出する空気流噴出手段を設けるように構成としても同じように脱水能力が高い傘脱水機が得られる。なお、閉じた状態の傘２は石突２７から露先２９にかけて広がっていっているので、折り目３０と傘生地捲り手段とが接触するには、ｌ、ｍ、ｎは露先２９に近い折り目３０の位置を基準として設定する必要がある。
【００３２】
この場合、送風手段収納部の外殻８と空気流を噴出する手段との位置関係によっては、除去した水分の跳ね返りにより、若干性能が劣るおそれがあるが、送風手段収納部の外殻８の内壁に水分が跳ね返りにくい素材や凹凸を設けたり、水が流れ落ちやすい形状とすれば、性能低下を抑制できる。また、空気流を噴出する孔と傘の生地との距離が開いてしまい流速が低下し、送風機を同じ設定にしていると十分な運動エネルギが得られない可能性があるが、その場合は送風機の能力を上げてやればよい。
【００３３】
また、開口部３の内側の面と送気パイプ２３さらにはスカート部３２に撥水処理加工を施すことで、１本の傘の脱水が終わり、次の傘の脱水を行うときに、前の傘の水分が、後の傘に付着することがなく、連続して使用する際の性能の安定化につながる。
【００３４】
さらに、４本の送気パイプ２３の間隔は、開口部３近傍が広く、排気室１５側が狭くなるように構成されているので、傘２を閉じた状態での折り目３０のシルエットに近く、一般的な傘のように折り目３０から親骨２８までの長さがシャフト２６に沿って変化していて、露先２９に近いほど折り目３０から親骨２８までが長くなっている状態でも生地全体に空気流を吹き付けることができる。
【００３５】
また、４本の送気パイプ２３の下方の一端から上方の他端の間に設けられた複数の孔２４は、下方（排気室１５側）ほど穴間のピッチが広く、上方（開口部３近傍）になるほどピッチが狭くなっている。そのため、一般的な傘のように折り目３０から親骨２８までの長さがシャフト２６に沿って変化していて、露先２９に近いほど折り目３０から親骨２８までが長くなっている傘では、付着する水分が多い露先２９近傍に吹き付ける空気流は多く、付着する水分が少ない石突２７近傍に吹き付ける空気流は少なくなるので、送風機の容量を大きくしなくても済むように効率のよい空気の吹き付けを行うことができる。
【００３６】
さらに、４本の送気パイプ２３のうち相対する２本の送気パイプ２３に設けられた孔２４の高さがずれているので、吹き付ける方向が同一直線上とならず、空気流同士の衝突により傘２から除去した水分が開口部３から飛び出すのを抑制することができる。
【００３７】
また、４本の送気パイプ２３のうち相対する２本の送気パイプ２３に設けられた孔２４からの空気流の流れる方向が水平面上で同一直線上にならないようにずらしているので、空気流同士の衝突により傘２から除去した水分が開口部３から飛び出すのを抑制することができる。
【００３８】
さらに、全ての孔２４から噴出される空気流が水平面上で同一方向にずらされることがないように、一部の孔から噴出される空気流を他とは異なる方向にずらすようにしたので，傘２が空気流に押されて回ってしまうのを防ぐことができる。
【００３９】
なお、このように対向する空気流噴出手段や孔２４から噴出される空気流が同一直線上にならないようにずらすことは、この実施の形態の傘生地捲り手段や送気パイプ２３を備えた構造の傘脱水機だけでなく、傘生地捲り手段を備えないリング状に空気流噴出手段を備えた傘脱水機や壁面に空気流噴出手段を備えた傘脱水機についても適用できる。
【００４０】
また、送風機７を傘脱水機１の下部に配置したので、送風機７の運転騒音が使用者に与える影響を抑制できる。
【００４１】
さらに、吸音構造体１１は吸込気室１２の上面の中でも排気室１５と連通するファン吸込口１４に対向する位置に設けたので、送風機７の運転騒音を効率よく吸音し、騒音を抑制することができる。
【００４２】
また、開口部３の下方に、筒状で上部の筒口が開口部３とほぼ同じくらいの直径であり、下部の筒口がこれより広い漏斗に似た形状のスカート部３２を設けたので、傘２を抜くときに露先２９が傘脱水機１の内部に引っかかって抜けにくくなるのを防ぐことができる。
【００４３】
さらに、上下二つのセンサが両方ともに傘２を検知した状態、すなわち傘２を完全に挿入した状態で、送風機７が起動するようにしたので、傘２がない状態で起動して空気流が衝突し、開口部３より水が噴出されるのを防止することができる。さらに、ゴミのようなもので誤動作するのを防ぐこともできる。
【００４４】
また、上下二つのセンサが両方ともに傘２を検知しなくなった状態、すなわち傘２を完全に抜いた状態で、送風機７が停止するようにしたので、抜き出す動作の途中も脱水が行われる。
【００４５】
さらに、空気流が吹き付けられている状態で傘２を抜くと、傘２の生地と開口部３又はスカート部３２の上部筒口との摩擦が軽減され小さい力で傘２を取り出すことができる。例えば、傘２の質量が約４００ｇの場合、空気流が吹き付けられている状態では傘２の自重４００ｇとほぼ同じ大きさの力で取り出すことができたが、空気流を止めた状態では、約５００ｇ必要であった。
【００４６】
また、開口部３に開閉自在なふたを設けることで、ごみ箱と間違えられてごみを捨てられ、誤動作するのを防ぐことができる。
【００４７】
実施の形態２．
図８は、この発明の実施の形態２における傘脱水機の斜視図、図９は、この発明の実施の形態２における他の傘脱水機の斜視図である。なお、実施の形態１と同じ機能を有する部品には同一の番号を付し、説明を省略する。
【００４８】
図８は、空気流噴出手段収納部３８の外殻の側面に内部が見える窓３９を設けたものである。この窓３９はアクリル樹脂製である。この窓３９により傘２に付着した水が取除かれる様子を見ることができるので、故障などが発生していないかどうか簡単に確認することができる。また、送気パイプ２３等が見えるのでごみ箱等と間違えられて、誤った使われ方をされるのを防ぐことができる。
【００４９】
また、図９は、空気流噴出手段収納部４０の外殻の側面に開閉自在な窓４１を設けたものである。これにより、窓４１を開くことにより内部の清掃が容易にできる。
【００５０】
実施の形態３．
図１０は、この発明の実施の形態３における傘脱水機の斜視図である。なお、実施の形態１と同じ機能を有する部品には同一の番号を付し、説明を省略する。
【００５１】
図１０は、空気流噴出手段収納部４２の外殻の側面に広告４３を表現する機構を設けたものである。傘脱水機はリースなどで使用されることがあるため、雨天以外の非使用時の機能を充実させることも必要である。このため、広告４３を表現する機構を側面に設けると、非使用時の機能充実に加え、使用時においても５〜１０秒程度の乾燥待ち時間の間に、この広告４３を見る可能性が高く、宣伝効果が大きい。
【００５２】
なお、この広告４３が、例えばビラのようなものであれば、広告を表現する機構はこのようなものを貼り付けることができるような面となっていれば充分である。また、広告４３がディスプレイに表示されるような性質のものであれば、広告４３の画像を表示するディスプレイが広告を表現する機構ということになる。この場合、記憶手段を設けて画像を記憶させて繰り返し表示したり、通信により画像を配信して新たな広告に更新したりすることが必要となる。
【００５３】
【発明の効果】
このようにすることで、短時間で傘に付着した水分を除去することができる。
【図面の簡単な説明】
【図１】この発明の実施の形態１における傘脱水機の斜視図である。
【図２】この発明の実施の形態１における傘脱水機のＡ−Ａ線での縦断面図である。
【図３】この発明の実施の形態１における傘脱水機のＢ−Ｂ線での横断面図である。
【図４】この発明の実施の形態１における他の構成の傘脱水機のＢ−Ｂ線での横断面図である。
【図５】この発明の実施の形態１におけるさらに他の構成の傘脱水機のＢ−Ｂ線での横断面図である。
【図６】この発明の実施の形態１における排気室の部分のＣ−Ｃ線での横断面図である。
【図７】この発明の実施の形態１におけるさらに異なる構成の傘脱水機のＢ−Ｂ線での横断面図である。
【図８】この発明の実施の形態２における傘脱水機の斜視図である。
【図９】この発明の実施の形態２における他の傘脱水機の斜視図である。
【図１０】この発明の実施の形態３における傘脱水機の斜視図である。
【符号の説明】
１　傘脱水機、　２　傘、　３　開口部、　４　天面，　５　空気流噴出手段収納部、　６　送風手段収納部、　７　送風機、　８　外殻、　９　取入口、　１０　吸込口、　１１　吸音構造体、　１２　吸込気室、　１３　隔壁、　１４ファン吸込口、　１５　排気室、　１６　パッキン材、　１７　ゴムブッシュ、　１８　底面、　１９　内側面、　２０　孔、　２１　排気空間部、　２２　吹出口、　２３　送気パイプ、　２４　孔、　２５　脱水処理空間部、　２６　シャフト、　２７　石突き、　２８　親骨、　２９　露先、　３０　折り目、　３１　手元、　３２　スカート部、　３３　第１のセンサ、　３４　第２のセンサ、　３５　凸部、　３６　通風路、　３７　吹出通路、　３８　空気流噴出手段収納部、　３９　窓、　４０　空気流噴出手段収納部、　４１　窓、　４２　空気流噴出手段収納部、　４３　広告。
【図１】
2004144425.tif 000003
【図２】
2004144425.tif 000004
【図３】
2004144425.tif 000005
【図４】
2004144425.tif 000006
【図５】
2004144425.tif 000007
【図６】
2004144425.tif 000008
【図７】
2004144425.tif 000009
【図８】
2004144425.tif 000010
【図９】
2004144425.tif 000011
【図１０】
2004144425.tif 000012